(57)【要約】【課題】  鉄筋の品質を製造上使用された溶鉱炉から配筋の事実に至るまで容易に且つ円滑に適宜管理できる鉄筋管理システムの提供。【解決手段】  三次元画像データ、加工情報及び溶鋼情報を含む定尺情報を保持するデータベースと、三次元画像データの鉄筋に固有識別子を付する固有識別子付与手段と、三次元画像データから所望鉄筋を選択する鉄筋選択手段と、選択された鉄筋を加工情報ごとに単数又は複数の鉄筋群に分類し当該鉄筋群を構成する鉄筋の固有識別子を保存するまとめ手段と、前記鉄筋群に固有の加工識別子を付する加工識別子付与手段と、所望の鉄筋群の加工識別子及び加工情報を記した絵符を出力する絵符出力手段と、前記絵符から加工識別子を採取する加工情報採取手段と、定尺材の定尺情報を採取する定尺情報採取手段と、溶鋼情報と加工識別子の連係情報を保存する情報連係手段を備える鉄筋管理システム。【選択図】      図１
2019008683.tif 000002
【特許請求の範囲】
【請求項１】
三次元モデリングシステムで編集された三次元画像データ、及び加工帳作成システムが導いた加工情報、及び溶鋼情報を含む定尺情報を保持するデータベースと、
前記三次元画像データに含まれる鉄筋に各々固有の固有識別子を付する固有識別子付与手段と、
前記三次元画像データから所望の鉄筋を選択する鉄筋選択手段と、
前記鉄筋選択手段で選択された鉄筋を前記加工情報ごとに単数又は複数の鉄筋群に分類し当該鉄筋群を構成する鉄筋の固有識別子を保存するまとめ手段と、
前記鉄筋群に各々固有の加工識別子を付する加工識別子付与手段と、
所望の鉄筋群の加工識別子及び加工情報を記した絵符を出力する絵符出力手段と、
前記絵符から前記加工識別子を採取する加工情報採取手段と、
加工に用いられる定尺材の前記定尺情報を採取する定尺情報採取手段と、
前記溶鋼情報と前記固有識別子及び前記加工識別子の連係情報を保存する情報連係手段を備える鉄筋管理システム。
【請求項２】
前記固有識別子で特定された鉄筋を含む三次元画像データを出力する画像出力手段を備える請求項１に記載の鉄筋管理システム。
【請求項３】
前記加工情報採取手段で採取した加工識別子が付された鉄筋群を構成する鉄筋各々の固有識別子を前記加工識別子が付された加工情報及び前記連係情報から導く鉄筋検索手段と、
前記鉄筋検索手段で導かれた固有識別子が付された鉄筋を含む三次元画像データを出力する画像出力手段を備える請求項１又は請求項２のいずれかに記載の鉄筋管理システム。
【請求項４】
二次元コードから定尺材の定尺情報を採取する定尺情報採取手段と、
前記絵符に記載された二次元コードから前記加工識別子を採取する加工情報採取手段を備える請求項１乃至請求項３のいずれかに記載の鉄筋管理システム。
【請求項５】
二次元コードから処理担当者を特定する処理担当者情報を採取する処理担当者情報採取手段と、
前記処理担当者情報を連係させた前記連係情報を保存する前記情報連係手段を備える請求項１乃至請求項４のいずれかに記載の鉄筋管理システム。
【請求項６】
二次元コードから関係機材を特定する関係機材情報を採取する関係機材情報採取手段と、
前記関係機材情報を連係させた前記連係情報を保存する前記情報連係手段を備える請求項１乃至請求項５のいずれかに記載の鉄筋管理システム。
【発明の詳細な説明】
【技術分野】
【０００１】
本発明は、鉄筋の品質や用途などをその溶鋼番号と関連付けて管理する鉄筋管理システムに関する。
【背景技術】
【０００２】
従来、鉄筋などの鋼棒を製造する際に用いられた溶鉱炉、即ち融鉄の出所を表示することを目的として、鋼棒には溶鋼番号が付されている。
前記溶鋼番号は、鋼棒を製造する際に用いられる溶鉱炉の形態及び物性の相違、又は溶融条件の相違（溶融温度や溶融時間の相違など）が融鉄の成分や品質に少なからず影響を及ぼすことに鑑み、鋼棒の品質を、その鋼棒の製造に用いられた溶鉱炉等に置き換えて表示するものである。
【０００３】
特に、建物に用いられる鉄筋などは、品質（各種強度など）が極めて重要であるため、今日、各鉄筋メーカーは、各鉄筋の品質を保証するために、出荷ロット（釜）ごとに溶鋼番号と具体的な品質を記した文書（ミルシート）を付して出荷している（図２参照）。
そして、一つの釜から製造された鉄筋は、搬送に便宜な束に適宜分けられ、一束ごとに溶鋼番号を刻印した鉄筋プレート（絵符）を付して、管理されている（例えば下記特許文献１及び特許文献２参照）。
【０００４】
建物を建造する際には、本来であれば、規定の品質を有する鉄筋が、設計通りに使用されていることを保証するために、ミルシートや鉄筋プレートにかかる鉄筋が、建物のどの位置に使用されているのかが管理されている必要がある。
【０００５】
一般的に、鉄筋に加工を加える際には、様々な仕様の定尺材が置かれたストックヤード区から、加工帳を基に所定の定尺材をピックアップすることになる。
しかしながら、前記加工帳は、鉄筋を所定の形状に加工する際に必要な加工情報を、文字で表示し、又は解読手段（例えば下記特許文献４参照）で読み取り可能な二次元コードで表示されているものの、一般的には、前記溶鋼番号や、その配置（建物で使用されている箇所）が明記されることはなく、棒鋼をピックアップする際に溶鋼番号が参照されることもない。
【０００６】
従って、鉄筋の品質を明らかにする溶鋼番号は、実質的には、建物における配設位置の管理から外れ、事後検証の手が及ばないというのが実態である。
その結果、事後的に所要品質に満たない配筋が明らかとなり、それが強度不足を惹起するとすれば、建物全体を解体して入れ替えなければならない事態も生じ得る。
【０００７】
この様な事態を回避するために、例えば、生産された全ての棒鋼に溶鋼番号を表示すると共に、配筋時に写真撮影を行って配筋位置の証明を行う手法がある（例えば下記特許文献３参照）。
この手法は、棒鋼に溶鋼番号を表示するコストが嵩む他、写真撮影及び撮影画像の整理の手間が嵩むこともあって広く普及するには至っていない。
【先行技術文献】
【特許文献】
【０００８】
【特許文献１】特開平０９−２０３２１号公報
【特許文献２】特開平０７−４１１１５号公報
【特許文献３】特開２０１０−６５４１４号公報
【特許文献４】特開２００９−１３４６６６号公報
【発明の概要】
【発明が解決しようとする課題】
【０００９】
本発明は、上記実情に鑑みてなされたものであって、建物に用いられる鉄筋に求められる品質を鉄筋の製造時から配筋の事実に至るまで容易に且つ円滑に管理できる鉄筋管理システムの提供を目的とする。
【課題を解決するための手段】
【００１０】
上記課題を解決するためになされた本発明による鉄筋管理システムは、三次元モデリングシステムで編集された三次元画像データ、及び加工帳作成システムが導いた加工情報、及び溶鋼情報を含む定尺情報を保持するデータベースと、前記三次元画像データに含まれる鉄筋に各々固有の固有識別子を付する固有識別子付与手段と、前記三次元画像データから所望の鉄筋を選択する鉄筋選択手段と、前記鉄筋選択手段で選択された鉄筋を前記加工情報ごとに単数又は複数の鉄筋群に分類し当該鉄筋群を構成する鉄筋の固有識別子を保存するまとめ手段と、前記鉄筋群に各々固有の加工識別子を付する加工識別子付与手段と、所望の鉄筋群の加工識別子及び加工情報を記した絵符を出力する絵符出力手段と、前記絵符から前記加工識別子を採取する加工情報採取手段と、加工に用いられる定尺材の前記定尺情報を採取する定尺情報採取手段と、前記溶鋼情報と前記加工識別子の連係情報を保存する情報連係手段を備えることを特徴とする。
【００１１】
本発明による鉄筋管理システムは、前記固有識別子で特定された鉄筋を含む三次元画像データを出力する画像出力手段を備える構成とすることができ、前記加工情報採取手段で採取した加工識別子が付された鉄筋群を構成する鉄筋各々の固有識別子を前記加工識別子が付された加工情報及び前記連係情報から導く鉄筋検索手段と、前記鉄筋検索手段で導かれた固有識別子が付された鉄筋を含む三次元画像データを出力する画像出力手段を備える構成とすることができる。
【００１２】
情報の収集を簡易に且つ容易にすべく、二次元コード（磁気ストライプを含む）から定尺材の定尺情報を採取する定尺情報採取手段と、前記絵符に記載された二次元コードから前記加工識別子を採取する加工情報採取手段を備える構成を採ることができ、更に、二次元コードから処理担当者を特定する処理担当者情報を採取する処理担当者情報採取手段と、前記処理担当者情報を連係させた前記連係情報を保存する前記情報連係手段を備える構成や、二次元コードから関係機材を特定する関係機材情報を採取する関係機材情報採取手段と、前記関係機材情報を連係させた前記連係情報を保存する前記情報連係手段を備える構成を採ることができる。
【発明の効果】
【００１３】
本発明による鉄筋管理システムによれば、建物を構成する各鉄筋に固有識別子を付し、加工絵符作成時にその加工情報と関連付けることによって、加工時において、所定のストックヤードにて原材料（定尺材）を取り上げた時に、定尺材の溶鋼情報を採取して当該溶鋼情報と加工情報などを関連付け、鉄筋に付された鉄筋絵符や加工絵符から溶鋼番号や、当該鉄筋の配設位置の三次元画像その他の関連情報を閲覧することができる。
【００１４】
また、当該関連情報に、当該鉄筋を含む切出し画像の三次元画像データの保存先のアドレス（以下「保存アドレス」という）を含めることによって、例えば、建築現場など所望の場所において、ビューアーソフトで当該鉄筋の加工情報又は配置を閲覧することができる他、逆に、ビューアーソフトの画像から溶鋼番号その他の関連情報を閲覧することができる。
【００１５】
その結果、鉄筋の溶鋼情報から生じる鉄筋の仕様に基づき、定尺材の仕様の確認や配筋されるべき位置から竣工後における鉄筋の仕様の確認や配筋された位置の確認に至る鉄筋の管理を、容易に且つ確実に行うことができる。
【図面の簡単な説明】
【００１６】
【図１】本発明による鉄筋管理システムの実施態様例を示す概略図である。
【図２】本発明による鉄筋管理システムで用いられる（Ａ）：ミルシート，（Ｂ）：その使用態様，（Ｃ）：鉄筋プレート（絵符）の一例を示す概略図である。
【図３】本発明による鉄筋の鉄筋管理システムで用いられる（Ａ）：鉄筋加工帳，（Ｂ）：加工絵符の一例を示す概略図である。
【図４】本発明による鉄筋管理システムの実施態様例を示す概念図である。
【図５】本発明による鉄筋管理システムの鉄筋データの一例を示す概念図である。
【図６】本発明による鉄筋管理システムの一例を示すブロック図である。
【図７】本発明による鉄筋管理システムにおけるデータ保持形態の一例を示すブロック図である。
【図８】本発明による鉄筋管理システムにおいて用いられ得るデータの構成例を示すブロック図である。
【図９】本発明による鉄筋管理システムにおいて用いられ得るデータの構成例を示すブロック図である。
【図１０】本発明による鉄筋管理システムにおいて用いられ得るデータ（ＷｅｂＧＬ（登録商標）用フォーマットデータ）の一例である。
【発明を実施するための形態】
【００１７】
以下、本発明による鉄筋管理システムの実施の形態を、図面に基づき詳細に説明する。
図１に示す鉄筋管理システムは、加工担当者、輸送担当者及び施工担当者が就労時において携帯する携帯端末装置１と、配筋モデルを含む三次元画像データの編集及び検索を可能とする三次元モデリングシステムとして機能し、前記三次元画像データに含まれる鉄筋データから鉄筋径及び形状を含む加工情報を導くと共に、それらの鉄筋データを当該加工情報ごとに分類し保存する鉄筋加工帳作成システムとして機能し、且つ前記携帯端末装置１との通信を経て種々の情報を授受するウェブサーバ１５として機能するコンピュータシステム（以下「管理システム２」という）で構成される。
【００１８】
この例の前記管理システム２は、例えば、三次元画像データなど、鉄筋の管理に用いる各種データを保持するデータベース１７と、前記三次元モデリングシステムで編集された鉄筋に固有識別子を付する固有識別子付与手段４と、前記データベース１７が保持する三次元画像データから所望の鉄筋データを選択する鉄筋選択手段３と、前記鉄筋選択手段３で選択された前記鉄筋データを前記加工情報が等しい単数又は複数の鉄筋データ群に分別して保存するまとめ手段５と、前記鉄筋データ群の加工情報を記した加工絵符を出力する絵符出力手段１８と、前記加工絵符を出力する際に加工情報に加工識別子を付す加工識別子付与手段１９と、溶鋼情報（定尺材の溶鋼番号、仕様又はそれらの保存先など）と前記加工識別子の連係情報を保存する情報連係手段６と、加工情報採取手段１０で採取した加工識別子を持つ（加工識別子が当て嵌まる）鉄筋群を構成する鉄筋各々の固有識別子を前記加工識別子が付された加工情報及び前記連係情報から導く鉄筋検索手段７と、前記鉄筋検索手段７で導かれた固有識別子が付された鉄筋を含む三次元画像データを出力する画像出力手段８を備える。
【００１９】
前記携帯端末装置１は、様々な場において二次元コード（バーコード、ＱＲコード（登録商標）又は磁気ストライプなど）を採取するスキャナーと、採取された二次元コードから前記加工識別子、前記加工情報、前記溶鋼情報、処理担当者情報及び関係機材情報を読み取るデコーダと、前記管理システム２との情報通信を適時行う通信手段を備える。
【００２０】
前記スキャナー及びデコーダは、二次元コードから前記鉄筋加工帳作成システムで保存された前記加工情報、前記加工識別子付与手段１９で保存された加工識別子又はそれらの保存先を採取する前記加工情報採取手段１０、二次元コードから加工に用いられる定尺材の溶鋼情報を採取する定尺情報採取手段９、ＩＤカード等の二次元コードから処理担当者を特定する処理担当者情報を採取する担当者情報採取手段１１、又は作業タグ等の二次元コードから作業又は関係機材を特定する関係機材情報を採取する機材情報採取手段１２として機能する。
【００２１】
この例における処理とは、加工、輸送、施工など、定尺材の加工から現場での施工に至るまでにおいて、前記固有識別子にかかる鉄筋に施される様々な作業である。即ち、前記処理担当者情報は、加工担当者情報（加工担当者の識別情報又はそれらの保存先など）、輸送担当者情報（輸送担当者の識別情報又はそれらの保存先など）、施工担当者情報（施工担当者の識別情報又はそれらの保存先など）を含む。
一方、この例において関係機材とは、前記各処理において用いられる機械、車両又は重機などである。即ち、前記関係機材情報は、切断や曲げなどに用いる加工機械情報（加工機械の識別情報又はそれらの保存先など）及び輸送手段情報（輸送手段の識別情報又はそれらの保存先など）を含む。
【００２２】
前記データベース１７は、３ｄＣＡＤ（three-dimensional computer-aided design）システムや積算ソフトウエアで生成された躯体及び鉄筋の座標データを含む建物データベース１７ａと管理データベース１７ｂを備え、複数のデータテーブルの連係によって、当該データベース１７に保持される各種データをそれぞれ特定することができる（図７参照）。
【００２３】
前記建物データベース１７ａは、工事の名称及び当該工事のＩＤ（以下「工事ＩＤ」という）を保持する工事テーブル、階の名称及び当該階のＩＤ（以下「階ＩＤ」という）を保持する階テーブル、梁や柱などの建物の躯体の名称及び当該躯体のＩＤ（以下「躯体ＩＤ」という）を保持する躯体テーブル、配筋リストの名称、当該配筋リストのＩＤ、当該配筋リストの配筋データ（ｆＧ１，Ｃ１など）、前記躯体ＩＤ、前記階ＩＤ及び前記工事ＩＤを保持する配筋リストテーブル、躯体の名称、当該躯体のＩＤ（以下「躯体ＩＤ」という）、建物の構成部材の断面形状や軸方向長及び連続情報等を示す躯体の表面座標（以下「躯体面座標」という）、前記配筋リストＩＤを保持する躯体情報テーブルと、鉄筋の線形、材質、径及び当該鉄筋のＩＤ（固有識別子）を保持する鉄筋テーブルを保持する（図８参照）。
【００２４】
前記管理データベース１７ｂは、前記鉄筋加工帳作成システムで導かれた加工情報、当該加工情報の加工識別子、ストックヤード区及び当該加工情報を有する鉄筋群の固有識別子を保持する加工テーブル、前記溶鋼番号、当該溶鋼番号のＩＤ、メーカー名称、径、材質、長さ及び本数を保持する溶鋼番号テーブル、鉄筋に施された処理の日時、当該処理に係る作業のＩＤ、当該処理の担当者のＩＤ及び当該処理テーブルのＩＤを保持する処理テーブル、担当者の氏名と当該担当者のＩＤを保持する担当者テーブル、作業名称と当該作業のＩＤを保持する作業テーブル並びに完了した全ての処理のＩＤ、溶鋼番号のＩＤ及び加工テーブルのＩＤ（加工識別子）及び当該進捗テーブルのＩＤを保持する進捗テーブルを備える（図９参照）。
尚、この例の加工情報は、定尺本数、定尺長、本数、切寸、材質、径、形状及び当該加工テーブルのＩＤ（加工識別子）等である。
【００２５】
この例の前記固有識別子付与手段４は、鉄筋データ、躯体データ、階データ及び建物データが前記三次元モデリングシステムで編集され三次元画像データが前記建物データベース１７ａに追加登録された時に、前記鉄筋テーブル及び前記加工テーブルなどのレコードに前記固有識別子を加え、前記建物データベース１７ａ及び前記管理データベース１７ｂに保存する処理を行う。
尚、前記鉄筋データは、例えば、各構成部材内に配設される鉄筋の通過基準点Ｐを予め三次元画像データとして登録した各構成部材の配置データ（躯体面座標）及び配筋データに基づいて設定した三次元座標を含むものである（図５参照）。
【００２６】
前記鉄筋選択手段３は、例えば、前記三次元モデリングシステムで編集され三次元画像データから所望領域を設定し、当該所望領域に含まれる躯体、階、その他の領域又は建物全体について前記管理システム２に予め登録した建物の各構成部材の配置データ（躯体面座標）及び各構成部材の配筋データ（各部材の内部に配設される主な鉄筋のデータ）に基づき、前記三次元モデリングシステムで編集された三次元画像データに含まれる各構成部材の内部に配置された全ての鉄筋の鉄筋データを抽出する（例えば特開２００１−１２３６６４又は特開２００１−３３１５４８参照）。
【００２７】
前記加工帳作成システムは、建物の仕様を、前記配置データ（躯体面座標等）や前記配筋データを参照し、当該躯体構成部材に配設されるべき鉄筋の寸法データ（当該鉄筋の径及び各部の長さのデータ）及び曲げ加工データ（当該鉄筋の曲がり状態を定めるデータ）からなる前記線形（図８の鉄筋テーブル参照）を導き、他の加工情報と共に前記建物データベース１７ａ又は前記管理データベース１７ｂに保存する。
【００２８】
前記加工帳作成システムは、前記寸法データ及び前記曲げ加工データ（線形）を導く際に、各構成部材に配設された各鉄筋の通過基準点（端点や屈曲点など）Ｐの三次元座標から線分各部の寸法（寸法データ）と、当該鉄筋に含まれる線分から選択した基軸（最寄りの線分など）と他の線分との相対角度（曲げ加工データ）を算出し、求められる鉄筋の前記径及び材質と共に、前記建物データベース１７ａの鉄筋テーブルに保存する（図５参照）。
当該相対角度は、前記基軸を含んだ基面に対する水平角及び垂直角を以て保存することができる。  
【００２９】
前記まとめ手段５は、前記鉄筋選択手段３で選択された前記鉄筋データを加工情報が共通する単数又は複数の鉄筋データ群に分別し、各鉄筋データ群をそれぞれの加工識別子と共に前記管理データベース１７ｂの加工テーブルにそれぞれ１レコードとして保存する。
この例の前記管理データベース１７ｂにおける加工テーブルの各レコードは、前記の如く、鉄筋のＩＤ群、ストックヤード区、定尺本数、定尺長、本数、切寸、材質、径、鉄筋の形状及び当該加工テーブルのＩＤ（加工識別子）等を含む。
【００３０】
一方、例えば、当該まとめ手段５のアルゴリズムにより、加工情報が共通する鉄筋としてまとめられた鉄筋が１０００本になった時、何ら規制を施さない場合には、前記鉄筋加工帳作成システムは、加工帳のレコードを１行作成する。
しかし、そのままでは体積、重量が大きすぎるので、あらかじめ、１レコードの本数、又は重量を指定する自動調整又は手動調整によって、一束５０本程度で分割し、それを２０行のレコードにするといった処理を施す。
その際、２０行のレコードに対して、それぞれに固有の加工識別子（加工ＩＤ）が割り当てられる。
【００３１】
前記絵符出力手段１８は、前記まとめ手段５が保存した各鉄筋データ群の加工情報を、その加工識別子及び前記固有識別子を付した加工絵符として出力（印刷）する他、同時に、前記進捗テーブルに新たなレコードを追加することによって、当該レコードの１フィールドとして、当該鉄筋データ群の加工識別子を、前記管理データベース１７ｂに登録する。
この例の絵符出力手段１８は、加工帳の行1行につき、一枚の加工絵符を印刷する。
目的に応じ、例えば、１０００本であっても分割することなく１枚の絵符を印刷し、加工された鉄筋を任意本数の束に分けて括り、１グループを識別できるように、仮置きヤードに置く方法をとることもできる。
この例の前記加工絵符は、文字や図形及び二次元コードにより、加工識別子、鉄筋の名称、径、材質、形状、切寸、本数、（配設）箇所、合計、定尺、割、本数或いは圧接、ウェブサーバＵＲＬ（保存アドレス）等が記載されている。
【００３２】
この例の前記情報連係手段６は、前記固有識別子及び前記溶鋼情報並びに加工情報及びそれに付された前記加工識別子と、前記スキャナー及びデコーダで採取された加工担当者情報（加工担当者の識別情報又はそれらの保存先など）、輸送担当者情報（輸送担当者の識別情報又はそれらの保存先など）、施工担当者情報（施工担当者の識別情報又はそれらの保存先など）、加工機械情報（加工機械の識別情報又はそれらの保存先など）及び輸送手段情報（輸送手段の識別情報又はそれらの保存先など）などを連係させた複数のテーブルからなる連係情報を作成し保存する。
この例の前記情報連係手段６は、前記データテーブル１７に保持された各テーブルのレコードに前記の通り所定のデータや識別子（ＩＤ）を割り振って保存する（図８及び図９参照）。
【００３３】
＜三次元画像の参照＞
更に、鉄筋の製造から当該鉄筋の使用に至るまでの過程において、各鉄筋の取り付け位置の確認、又は特定躯体に配置された鉄筋の仕様の確認などの情報収集を行う際には、三次元画像で確認することが便宜である。
前記鉄筋検索手段７は、前記加工情報採取手段１０で採取した加工識別子及び前記連係情報から、その加工情報に示された加工が施される単数又は複数の鉄筋の固有識別子を導き、当該固有識別子が付された鉄筋を前記三次元モデリングシステムで編集された三次元画像データから検索する。
【００３４】
この例の前記画像出力手段８は、前記スキャナー及びデコーダにより検出された前記固有識別子をもとに、前記管理システム２の前記鉄筋検索手段７で、当該固有識別子が付された鉄筋データを検索し、当該鉄筋を含む三次元画像データを、例えば、当該固有識別子にかかる鉄筋を中心とした抽出画像データとして切出し手段１３で切り出し、メモリーやディスプレイ装置の画面に出力する（例えば特開２０１６−５６６６５号公報参照）。
【００３５】
前記切出し手段１３は、例えば、前記固有識別子が付された鉄筋の重心を中心とする三次元座標系のｘ−ｙ平面、ｙ−ｚ平面及びｚ−ｘ平面と平行な面からなる直方体空間を設定し、当該直方体空間に含まれる物体をソリッドブーリアン演算を用いて算出し、前記抽出画像データとして切り出す処理を行う。
【００３６】
上記の通り得られた前記抽出画像データは、登録手段１４によって、切り出された抽出画像データに含まれる物体（躯体、部材又は鉄筋など）の表皮を、３角形に分割し、当該三角形の頂点座標としてインターネット等の通信網に接続されたウェブサーバ１５にアップロードすることができる。
鉄筋については、例えば、以下の通り、鉄筋の固有識別子を前記頂点座標に付してインターネット等の通信網に接続されたウェブサーバ１５にアップロードすることができる。
例えば、図１０の「g TEKKIN001_ID00000001」ように、鉄筋１本ごとにその固有識別子（00000001）を付けたデータを作成しアップロードする。
前記抽出画像データは、データ読込手段１６によりアップロード先である保存アドレスからダウンロードし、前記管理システム２又は前記携帯端末装置１で閲覧することができる。
【００３７】
前記ウェブサーバ１５は、前記登録手段１４から受け取った前記抽出画像データを、ダウンロード用（データアクセス用）サーバサイドアプリケーションを示す固有のファイルディレクトリを付して前記ウェブサーバ１５のデータベースに保存すると共に、その保存先のアドレスとして、ローカルパスやＵＲＬ（Uniform Resource Locator）又はＵＲＩ（Uniform Resource Identifier）に当該データのインデックスを付して当該登録手段１４へ返信する。
前記登録手段１４は、前記ウェブサーバ１５から返信された保存アドレスを、前記情報連係手段６に出力する。
前記情報連係手段６は、前記保存アドレスを前記データベース１７が備える加工テーブルのレコードのうち、アップロード時に取得した鉄筋の固有識別子と合致したレコードに、前記連係情報の１フィールドとして追加し、当該連係情報を更新する。
【００３８】
＜運用＞
以上の如く構成されたシステムは、以下のように運用される（図１参照）。
様々な仕様の鉄筋は、定尺材の溶鋼番号及びその仕様（溶鋼情報）を示す二次元コード及び文字又は記号による記述がなされた鉄筋プレート（絵符）を付した状態でストックヤード区に置かれている。
尚、溶鋼番号は、１枚の絵符に対して複数が割り当てられる場合がある。
例えば、当該絵符に、大量の本数が記載されることによって、複数の定尺束を使用しなければならない場合や、絵符に記載の本数を確保するために、残量が少ない低尺束と新しい定尺束を併せて使用しなければならない場合などである。
【００３９】
加工責任者、切断担当者及び曲げ担当者（加工担当者）は、それぞれ自己の識別情報が付されたＩＤカードを所持すると共に、前記携帯端末装置１としてスマートデバイスを所持する。
前記二次元コードは、例えば、バーコード若しくはその磁気ストライプ又はＱＲコード（登録商標）などであって、定尺材に付す前記鉄筋プレート、前記絵符出力手段１８が出力する加工絵符、種々の担当者のＩＤカード及び種々の機械や車両の認識プレートに付記される。
表示される二次元コードの大きさは、表示デバイスの１ピクセルに対して二次元コードの１ドットを表示できる大きさを最小とすることが望ましい。
【００４０】
加工責任者は、作製されるべき鉄筋の加工絵符を前記絵符出力手段１８から受け取り、前記携帯端末装置１が具備する担当者情報採取手段１１及び加工情報採取手段１０で、自己のＩＤカード及び前記加工絵符に付された二次元コードをスキャンする（前記携帯端末装置１に予め携帯者（作業者）を登録しておくこともできる）と共に、当該絵符に記載された定尺材を所定のストックヤード区から取り上げ、前記携帯端末装置１が具備する定尺情報採取手段９で前記鉄筋プレートのそれぞれから二次元コードをスキャンする。
【００４１】
続いて、当該定尺材に施す加工機械（機材）の位置へ行き、施す加工（例えば切断などの処理）の作業タグを前記携帯端末装置１でスキャンし、当該定尺材を機械に装填する。
これをもって、前記定尺情報採取手段９及び加工情報採取手段１０によって採取された溶鋼番号及び鉄筋の前記固有識別子などの情報が前記各テーブルによって関連付けられ、新たなレコード又はフィールドとして追加される。
【００４２】
この様に、前記加工絵符で指示された作業が完了し、所定形状の鉄筋が完成するに至るまで、順次、前記加工情報採取手段１０で作業タグ又は加工絵符をスキャンしつつ同じ手続を繰り返す。
その間、加工担当者、輸送担当者、施工担当者など、処理担当者が交代する場合には、その都度、交替後の処理担当者のＩＤカード及び前記加工絵符に付された二次元コードをスキャンする（前記携帯端末装置１に予め携帯者（作業者）を登録しておくこともできる）。
スキャンした処理担当者のＩＤは、前記処理テーブル等によって関連付けられ、新たなレコード又はフィールドとして追加される。
【００４３】
また、各作業において用いられる関係機材が複数ある場合には、いずれの機材が使われたかを記録するために、更に、切断機、曲げ機、積載車両（トラックなど）などの機材タグをスキャンし、各々のＩＤを読み取り、前記処理テーブルによって関連付け、新たなレコード又はフィールドとして追加することもできる。
【００４４】
前記加工絵符は、当該加工絵符に従って処理される都度、処理後の鉄筋に取り付けておくことによって、当該加工絵符に付された二次元コードを前記携帯端末装置１の加工情報採取手段１０で採取することによって、当該鉄筋に関する様々な情報を確認することができる。
これは、前記加工絵符を付した状態で仮置きヤードに積載されている時のみならず、現場で取り付けた後においても同様である。
【００４５】
前記三次元モデリングシステム（ＰＣ）で溶鋼番号を照会する際には、例えば、そのディスプレイ装置でモデリングデータを表示し、マウス等で任意の鉄筋を指定することによって、前記鉄筋検索手段７は、指定した鉄筋の線形から前記建物データベース１７ａの鉄筋テーブルを検索し固有識別子を導き、前記管理データベース１７ｂの加工テーブルから同鉄筋の固有識別子を検索し、当該鉄筋の加工識別子を導く。更に、進捗テーブルから同加工識別子を検索し、当該加工識別子と同じレコードに収められた溶鋼番号を導くと共に、当該溶鋼番号を同ディスプレイ装置に表示する（図４（Ｂ）参照）。
【００４６】
一方、特定の鉄筋の取り付け位置を確認する際には、例えば、前記加工絵符に記載されている二次元コードを前記携帯端末装置１の加工情報採取手段１０で採取することによって当該加工絵符が付された鉄筋の加工識別子を導きウェブサーバ１５に送信する。
これを受けたウェブサーバ１５にインストールされているサーバプログラムは、前記鉄筋検索手段７に働きかけて前記加工テーブルから鉄筋ＩＤ（固有識別子）群を特定し、各鉄筋ＩＤを含む前記抽出画像データをダウンロードし閲覧する。
【００４７】
その際、前記抽出画像データをウェブサーバ１５にアップロードする手法を採る場合には、前記二次元コードを読み込んだ携帯端末装置１は、当該二次元コードから加工識別子を導くと共に、前記ウェブサーバ１５のデータ出力アプリケーションプログラム（以下「出力プログラム」という）に、当該加工識別子を送信すると共に、当該加工識別子と加工テーブルで関連付けられた前記抽出画像データの保存アドレスを導く。
【００４８】
前記出力プログラムは、例えば、ＷｅｂＧＬ（登録商標）などのブラウザを使用する命令と、その起動引数に前記保存アドレスを付与したＨＴＭＬ形式のコードを作成し、前記携帯端末装置１へ送信する。  
【００４９】
前記ＨＴＭＬ形式のコードを受け取った前記携帯端末装置１は、ブラウザを起動し、引数として記述されている前記保存アドレスから読み込んだ前記抽出画像データと、画面タップ時の処理関数をダウンロードして表示すると共に、ブラウザが具備する画像出力手段により、ドラッグ、ピンチ又はタップなどの操作をもって、当該抽出画像データの平行移動、拡大縮小又は回転等を行うことにより、前記固有識別子が付された鉄筋の位置や方向等の確認の便宜を図ることができる。
【００５０】
前記携帯端末装置１で溶鋼番号を閲覧する際には、前記携帯端末装置１に前記抽出画像データが表示されている状態から、画面上において任意の鉄筋をタップして溶鋼番号を導く鉄筋を特定する。
前記携帯端末装置１は、その画面のタップされた位置から当該画面に垂直な直線を作成し、画像データの三角座標から最寄りの鉄筋の固有識別子を導くと共に、例えば、「http://data.architec.jp/getdata.php?id=00000001 （固有識別子=00000001）」のように、処理関数に記載された溶鋼番号サーバーのＵＲＬに当該固有識別子を付したコードを、ウェブサーバ１５へ送信する（図４（Ａ）参照）。
【００５１】
これを受けたウェブサーバ１５にインストールされているサーバプログラムは、前記鉄筋検索手段７に働きかけて前記管理データベース１７ｂの加工テーブルから同鉄筋の固有識別子を検索し、当該鉄筋の加工識別子を導く。
更に、当該加工識別子で前記進捗テーブルを検索し、当該加工識別子と同じレコードに収められた溶鋼番号を導くと共に、当該溶鋼番号を前記携帯端末装置１へ送信する。
前記携帯端末装置１は、前記鉄筋検索手段７からウェブサーバ１５を経て返された溶鋼番号を受け、当該溶鋼番号を、画面に表示された前記抽出画像データにテキストボックス等で表示する（図９参照）。
【００５２】
この様に、上記鉄筋管理システムによれば、前記三次元モデリングシステムで作成した三次元画像データの所望の領域を、特別な表示端末やソフトウエアを要することなく、多様な視線で閲覧することができる。
【符号の説明】
【００５３】
１  携帯端末装置，２  管理システム，
３  鉄筋選択手段，４  固有識別子付与手段，５  まとめ手段，
６  情報連係手段，７  鉄筋検索手段，８  画像出力手段， 
９  定尺情報採取手段，１０  加工情報採取手段，１１  担当者情報採取手段，
１２  機材情報採取手段，１３  切出し手段，１４  登録手段，１５  ウェブサーバ，
１６  データ読込手段，
１７  データベース，１７ａ  建物データベース，１７ｂ  管理データベース，
１８  絵符出力手段，１９  加工識別子付与手段， 
【図１】
2019008683.tif 000003
【図２】
2019008683.tif 000004
【図３】
2019008683.tif 000005
【図４】
2019008683.tif 000006
【図５】
2019008683.tif 000007
【図６】
2019008683.tif 000008
【図７】
2019008683.tif 000009
【図８】
2019008683.tif 000010
【図９】
2019008683.tif 000011
【図１０】
2019008683.tif 000012